(57)【要約】【課題】講師が操作するパーソナルコンピュータ等のコンピュータを用いた講師用端末装置及び生徒が操作するパーソナルコンピュータ等のコンピュータを用いた生徒用端末装置間の通信をインターネット等の通信網に接続するウェブサーバコンピュータ等のコンピュータを用いた中央装置にて中継することで講義を行うシステムにて、講義を予約する場合に、生徒側における時間に対する自由度を向上させる予約システム、中央装置、コンピュータプログラム及び記録媒体を提供する。【解決手段】講義を予約する場合に、生徒用端末装置を操作する生徒側から時限を指定して予約を行い、中央装置にて予約に対して講義の実施を講師側へ要請し、講師用端末装置を操作する講師にて要請に対する承諾を行うことで予約が完了する。【選択図】　　　　図１
2004038688.tif 000002
【特許請求の範囲】
【請求項１】
中央装置と、該中央装置と通信する講師用端末装置及び生徒用端末装置とを備え、前記講師用端末装置及び生徒用端末装置を用いて時限単位で行われる講義を予約する予約システムにおいて、
前記生徒用端末装置は、
講義を予約する時限を指定する入力を受け付ける手段と、
指定された時限に対する講義の予約を示す予約情報を前記中央装置へ送信する手段と
を備え、
前記中央装置は、
受信した予約情報に基づいて、講義の実施を要請する要請情報を前記講師用端末装置へ送信する要請手段を備え、
前記講師用端末装置は、
受信した要請情報を出力する手段と、
要請に対する諾否を示す入力を受け付ける手段と、
受け付けた入力を示す諾否情報を前記中央装置へ送信する手段と
を備え、
前記中央装置は、更に、
受信した諾否情報が承諾を示す場合に、講義の予約処理を行う手段を備える
ことを特徴とする予約システム。
【請求項２】
中央装置と、該中央装置と通信する講師用端末装置及び生徒用端末装置とを備え、前記講師用端末装置及び生徒用端末装置を用いて時限単位で行われる講義を予約する予約システムにおいて、
前記生徒用端末装置は、
講義を予約する時限を指定する入力を受け付ける指定入力受付手段と、
指定された時限に対する講義の予約を示す予約情報を前記中央装置へ送信する手段と
を備え、
前記中央装置は、
時限に対応付けたレコードとして、講師を特定する講師特定情報及び生徒を特定する生徒特定情報を記録する予約テーブルにアクセスする手段と、
受信した予約情報により示される時限に対応付けて、予約情報の送信元の生徒用端末装置に対応する生徒特定情報を予約テーブルに記録する手段と、
予約情報により示される時限に対応付けられた講師特定情報の有無を予約テーブルに基づいて判定する手段と、
対応付けられた講師特定情報が無いと判定した場合に、受信した予約情報に基づいて講義の実施を要請する要請情報を前記講師用端末装置へ送信する要請手段と
を備え、
前記講師用端末装置は、
受信した要請情報を出力する手段と、
要請に対する諾否を示す入力を受け付ける手段と、
受け付けた入力を示す諾否情報を前記中央装置へ送信する手段と
を備え、
前記中央装置は、更に、
受信した諾否情報が承諾を示すときに、諾否情報の送信元の前記講師用端末装置に対応する講師特定情報を、予約テーブル中の当該諾否情報に関するレコードに記録する予約処理を行う手段と、
講義が成立することを示す成立情報を前記生徒用端末装置へ送信する手段と
を備え、
前記生徒用端末装置は、更に、
受信した成立情報を出力する手段を備える
ことを特徴とする予約システム。
【請求項３】
前記中央装置は、更に、
所定期限迄に講義が成立していないレコードを予約テーブルから抽出する手段と、
抽出したレコードに記録されている生徒特定情報に対応する前記生徒用端末装置へ講義が不成立であることを示す不成立情報を送信する手段と
を備え、
前記生徒用端末装置は、更に、
受信した不成立情報を出力する手段を備える
ことを特徴とする請求項２に記載の予約システム。
【請求項４】
前記生徒用端末装置が備える指定入力受付手段は、講義の科目を示す科目情報を受け付けるべくなしてあり、
前記予約情報は科目情報を含み、
前記中央装置は、
講師特定情報に対応付けて科目情報を記録する科目テーブルにアクセスする手段と、
受信した予約情報に含まれる科目情報に対応する講師特定情報を抽出する抽出手段と
を備え、
前記要請手段は、前記抽出手段が抽出した講師特定情報に対応する前記講師用端末装置へ要請情報を送信すべくなしてある
ことを特徴とする請求項１乃至請求項３のいずれかに記載の予約システム。
【請求項５】
講師用端末装置及び生徒用端末装置と通信する中央装置において、
前記生徒用端末装置から、時限単位で行われる講義の予約を示し、時限を指定した予約情報を受信する手段と、
受信した予約情報に基づいて、講義の実施を要請する要請情報を前記講師用端末装置へ送信する手段と、
前記講師用端末装置から、要請に対する諾否を示す諾否情報を受信する手段と、
受信した諾否が承諾を示す場合に、講義の予約処理を行う手段と
を備えることを特徴とする中央装置。
【請求項６】
講師用端末装置及び生徒用端末装置と通信網を介して通信するコンピュータに、前記講師用端末装置及び生徒用端末装置を用いて行われる講義を予約させるコンピュータプログラムにおいて、
コンピュータに、前記生徒用端末装置から、時限単位で行われる講義の予約を示し、時限を指定した予約情報を受信した場合に、受信した予約情報に基づいて、講義の実施を要請する要請情報を前記講師用端末装置へ送信させる手順と、
コンピュータに、前記講師用端末装置から、要請に対する諾否を示す諾否情報を受信した場合で、受信した諾否情報が承諾を示すときに、講義の予約処理を行わせる手順と
を含むことを特徴とするコンピュータプログラム。
【請求項７】
講師用端末装置及び生徒用端末装置と通信網を介して通信するコンピュータに、前記講師用端末装置及び生徒用端末装置を用いて行われる講義を予約させるコンピュータプログラムを記録してあるコンピュータでの読み取りが可能な記録媒体において、
コンピュータに、前記生徒用端末装置から、時限単位で行われる講義の予約を示し、時限を指定した予約情報を受信した場合に、受信した予約情報に基づいて、講義の実施を要請する要請情報を前記講師用端末装置へ送信させる手順と、
コンピュータに、前記講師用端末装置から、要請に対する諾否を示す諾否情報を受信した場合で、受信した諾否情報が承諾を示すときに、講義の予約処理を行わせる手順と
を含むコンピュータプログラムを記録してあることを特徴とするコンピュータでの読み取りが可能な記録媒体。
【発明の詳細な説明】
【０００１】
【発明の属する技術分野】
本発明は、講師が操作する講師用端末装置及び生徒が操作する生徒用端末装置間の通信を中央装置にて中継することにより講師及び生徒間で行われる講義を予約する予約システム、そのシステムにて用いられる中央装置、その装置を実現するためのコンピュータプログラム及びそのプログラムを記録してあるコンピュータでの読み取りが可能な記録媒体に関する。
【０００２】
【従来の技術】
講師が操作するパーソナルコンピュータ等のコンピュータを用いた講師用端末装置及び生徒が操作するパーソナルコンピュータ等のコンピュータを用いた生徒用端末装置間の通信をインターネット等の通信網に接続するサーバコンピュータ等のコンピュータを用いた中央装置にて中継し、英語及びフランス語等の科目の講義を行う通信システムが普及している。
【０００３】
このようなシステムでは、講義の単位となる時限毎に講義及び講師が予め登録されており、登録されている講義を確認した生徒が、定員に達していない講義の中で所望する講義に対して予約を行うことで講義が成立する。
【０００４】
そして成立した講義は予め設定されている開始時刻に達した時点から、中央装置により講師用端末装置及び生徒用端末装置間の画像情報及び音声情報等の各種情報を中継することで開始される。
【０００５】
【発明が解決しようとする課題】
しかしながら従来のシステムにおいては、講師の予定に合わせて生徒が予約を行うため、生徒側にとっては時間に対する自由度が低く、必ずしも都合の良い時間帯の講義を受けられるとは限らないという問題点がある。
【０００６】
本発明は斯かる事情に鑑みてなされたものであり、生徒用端末装置を操作する生徒側から時限を指定して予約を行い、中央装置にて予約に対して講義の実施を講師側へ要請し、講師用端末装置を操作する講師にて要請に対する承諾を行うことで講義が成立するので、生徒側における時間に対する自由度を向上させる予約システム、そのシステムにて用いられる中央装置、その装置を実現するためのコンピュータプログラム及びそのプログラムを記録してあるコンピュータでの読み取りが可能な記録媒体の提供を目的とする。
【０００７】
【課題を解決するための手段】
第１発明に係る予約システムは、中央装置と、該中央装置と通信する講師用端末装置及び生徒用端末装置とを備え、前記講師用端末装置及び生徒用端末装置を用いて時限単位で行われる講義を予約する予約システムにおいて、前記生徒用端末装置は、講義を予約する時限を指定する入力を受け付ける手段と、指定された時限に対する講義の予約を示す予約情報を前記中央装置へ送信する手段とを備え、前記中央装置は、受信した予約情報に基づいて、講義の実施を要請する要請情報を前記講師用端末装置へ送信する要請手段を備え、前記講師用端末装置は、受信した要請情報を出力する手段と、要請に対する諾否を示す入力を受け付ける手段と、受け付けた入力を示す諾否情報を前記中央装置へ送信する手段とを備え、前記中央装置は、更に、受信した諾否情報が承諾を示す場合に、講義の予約処理を行う手段を備えることを特徴とする。
【０００８】
第１発明に係る予約システムでは、生徒用端末装置を操作する生徒側から時限を指定して予約を行うことができるので、生徒側における時間に対する自由度を向上させることが可能である。
【０００９】
第２発明に係る予約システムは、中央装置と、該中央装置と通信する講師用端末装置及び生徒用端末装置とを備え、前記講師用端末装置及び生徒用端末装置を用いて時限単位で行われる講義を予約する予約システムにおいて、前記生徒用端末装置は、講義を予約する時限を指定する入力を受け付ける指定入力受付手段と、指定された時限に対する講義の予約を示す予約情報を前記中央装置へ送信する手段とを備え、前記中央装置は、時限に対応付けたレコードとして、講師を特定する講師特定情報及び生徒を特定する生徒特定情報を記録する予約テーブルにアクセスする手段と、受信した予約情報により示される時限に対応付けて、予約情報の送信元の生徒用端末装置に対応する生徒特定情報を予約テーブルに記録する手段と、予約情報により示される時限に対応付けられた講師特定情報の有無を予約テーブルに基づいて判定する手段と、対応付けられた講師特定情報が無いと判定した場合に、受信した予約情報に基づいて講義の実施を要請する要請情報を前記講師用端末装置へ送信する要請手段とを備え、前記講師用端末装置は、受信した要請情報を出力する手段と、要請に対する諾否を示す入力を受け付ける手段と、受け付けた入力を示す諾否情報を前記中央装置へ送信する手段とを備え、前記中央装置は、更に、受信した諾否情報が承諾を示すときに、諾否情報の送信元の前記講師用端末装置に対応する講師特定情報を、予約テーブル中の当該諾否情報に関するレコードに記録する予約処理を行う手段と、講義が成立することを示す成立情報を前記生徒用端末装置へ送信する手段とを備え、前記生徒用端末装置は、更に、受信した成立情報を出力する手段を備えることを特徴とする。
【００１０】
第２発明に係る予約システムでは、生徒用端末装置を操作する生徒側から時限を指定して予約を行い、講義が成立する場合には成立情報として生徒側に通知することにより、生徒側における時間に対する自由度を向上させることが可能である。
【００１１】
第３発明に係る予約システムは、第２発明において、前記中央装置は、更に、所定期限迄に講義が成立していないレコードを予約テーブルから抽出する手段と、抽出したレコードに記録されている生徒特定情報に対応する前記生徒用端末装置へ講義が不成立であることを示す不成立情報を送信する手段とを備え、前記生徒用端末装置は、更に、受信した不成立情報を出力する手段を備えることを特徴とする。
【００１２】
第３発明に係る予約システムでは、生徒側の予約に対して講師側の都合がつかず、講義が不成立となる場合に、不成立情報として生徒側に通知することにより、生徒側では講義が不成立であることを認識することが可能である。
【００１３】
第４発明に係る予約システムでは、第１発明乃至第３発明のいずれかにおいて、前記生徒用端末装置が備える指定入力受付手段は、講義の科目を示す科目情報を受け付けるべくなしてあり、前記予約情報は科目情報を含み、前記中央装置は、講師特定情報に対応付けて科目情報を記録する科目テーブルにアクセスする手段と、受信した予約情報に含まれる科目情報に対応する講師特定情報を抽出する抽出手段とを備え、前記要請手段は、前記抽出手段が抽出した講師特定情報に対応する前記講師用端末装置へ要請情報を送信すべくなしてあることを特徴とする。
【００１４】
第４発明に係る予約システムでは、講師が担当する科目を管理することにより、担当外の科目の講師に対して講義の要請を行うことがないので、不要な情報の送受信を防止し、また誤って担当外の科目の講義の要請に対する承諾を行うことを防止することが可能である。
【００１５】
第５発明に係る中央装置は、講師用端末装置及び生徒用端末装置と通信する中央装置において、前記生徒用端末装置から、時限単位で行われる講義の予約を示し、時限を指定した予約情報を受信する手段と、受信した予約情報に基づいて、講義の実施を要請する要請情報を前記講師用端末装置へ送信する手段と、前記講師用端末装置から、要請に対する諾否を示す諾否情報を受信する手段と、受信した諾否が承諾を示す場合に、講義の予約処理を行う手段とを備えることを特徴とする。
【００１６】
第５発明に係る中央装置では、生徒用端末装置を操作する生徒側から時限を指定して予約を行うことができるので、生徒側における時間に対する自由度を向上させることが可能である。
【００１７】
第６発明に係るコンピュータプログラムは、講師用端末装置及び生徒用端末装置と通信網を介して通信するコンピュータに、前記講師用端末装置及び生徒用端末装置を用いて行われる講義を予約させるコンピュータプログラムにおいて、コンピュータに、前記生徒用端末装置から、時限単位で行われる講義の予約を示し、時限を指定した予約情報を受信した場合に、受信した予約情報に基づいて、講義の実施を要請する要請情報を前記講師用端末装置へ送信させる手順と、コンピュータに、前記講師用端末装置から、要請に対する諾否を示す諾否情報を受信した場合で、受信した諾否情報が承諾を示すときに、講義の予約処理を行わせる手順とを含むことを特徴とする。
【００１８】
第６発明に係るコンピュータプログラムでは、ウェブサーバコンピュータ等のコンピュータにて実行することで、コンピュータが中央装置として動作し、生徒用端末装置を操作する生徒側から時限を指定して予約を行うことができるので、生徒側における時間に対する自由度を向上させることが可能である。
【００１９】
第７発明に係るコンピュータでの読み取りが可能な記録媒体は、講師用端末装置及び生徒用端末装置と通信網を介して通信するコンピュータに、前記講師用端末装置及び生徒用端末装置を用いて行われる講義を予約させるコンピュータプログラムを記録してあるコンピュータでの読み取りが可能な記録媒体において、コンピュータに、前記生徒用端末装置から、時限単位で行われる講義の予約を示し、時限を指定した予約情報を受信した場合に、受信した予約情報に基づいて、講義の実施を要請する要請情報を前記講師用端末装置へ送信させる手順と、コンピュータに、前記講師用端末装置から、要請に対する諾否を示す諾否情報を受信した場合で、受信した諾否情報が承諾を示すときに、講義の予約処理を行わせる手順とを含むコンピュータプログラムを記録してあることを特徴とする。
【００２０】
第７発明に係るコンピュータでの読み取りが可能な記録媒体では、記録されているコンピュータプログラムをウェブサーバコンピュータ等のコンピュータにて実行することで、コンピュータが中央装置として動作し、生徒用端末装置を操作する生徒側から時限を指定して予約を行うことができるので、生徒側における時間に対する自由度を向上させることが可能である。
【００２１】
【発明の実施の形態】
以下、本発明をその実施の形態を示す図面に基づいて詳述する。
図１は本発明の予約システムを概念的に示す説明図である。
図１中１０はウェブサーバコンピュータを用いた本発明の中央装置であり、中央装置１０は、インターネット等の通信網ＮＷに接続されており、通信網ＮＷには講師が操作するパーソナルコンピュータを用いた講師用端末装置２０，２０，…及び生徒が操作するパーソナルコンピュータを用いた生徒用端末装置３０，３０，…が接続される。
【００２２】
そして中央装置１０を管理する事業体は、中央装置１０を用いて講師用端末装置２０，２０，…及び生徒用端末装置３０，３０，…間の通信を中継することで、通信網ＮＷを介して英語及びフランス語等の科目の講義を行うサービスを提供している。
【００２３】
図２は本発明の予約システムの構成を示すブロック図である。
中央装置１０は、装置全体を制御するＣＰＵ１１、本発明の中央装置用のコンピュータプログラムＰＧ及びデータ等の各種情報を記録したＣＤ−ＲＯＭ等の記録媒体ＲＥＣから各種情報を読み取るＣＤ−ＲＯＭドライブ等の補助記憶手段１２、補助記憶手段１２により読み取った各種情報を記録するハードディスク及びＲＡＩＤ等の記録手段１３、情報を一時的に記憶するＲＡＭ１４、時計手段１５並びに通信網ＮＷに接続する通信手段１６を備えている。
そして記録手段１３から本発明のコンピュータプログラムＰＧ及びデータ等の各種情報を読み取り、ＲＡＭ１４に記憶させてＣＰＵ１１により実行することで、ウェブサーバコンピュータは本発明の中央装置１０として動作する。
【００２４】
また記録手段１３の記録領域の一部は、講義の予約状況を記録する予約テーブル１０ａ、各講師の担当科目を記録する科目テーブル１０ｂ並びに講師及び生徒の連絡先を記録する連絡先テーブル１０ｃ等の各種テーブルとして用いられており、必要に応じてアクセスが行われ情報の記録／読取が行われる。
なお記録手段１３の記録領域の一部を予約テーブル１０ａ、科目テーブル１０ｂ及び連絡先テーブル１０ｃ等の各種テーブルとして用いるのではなく、中央装置１０に接続する他の装置を各種テーブルとして用いてもよい。
さらに記録手段１３には、当該サービスを提供するＨＴＭＬ等のマークアップ言語で記述されたウェブページが記録されている。
【００２５】
講師用端末装置２０は、ＣＰＵ２１、記録手段２２、ＲＡＭ２３、通信手段２４、マウス及びキーボード等の入力手段２５、マイク等の音声入力手段２６、カメラ等の映像入力手段２７、スピーカ等の音声出力手段２８並びにモニタ等の映像出力手段２９を備えており、記録手段２２には、マークアップ言語で記述されたウェブページを閲覧するための閲覧用コンピュータプログラム（以下、ブラウザという）及び電子メール送受信用コンピュータプログラム（以下、メーラという）等の各種コンピュータプログラムが記録されている。
【００２６】
生徒用端末装置３０は、ＣＰＵ３１、記録手段３２、ＲＡＭ３３、通信手段３４、入力手段３５、音声入力手段３６、映像入力手段３７、音声出力手段３８及び映像出力手段３９を備えており、記録手段３３には、ブラウザ及びメーラ等の各種コンピュータプログラムが記録されている。
【００２７】
次に本発明の中央装置１０が備える各種テーブルについて説明する。
図３は本発明の中央装置１０が備える予約テーブル１０ａの記録内容を概念的に示す説明図である。
予約テーブル１０ａには、時限単位で行われる講義の日時、講義を行う通信チャネルを示す教室番号、予約している講師を特定する講師特定情報、予約している生徒を特定する生徒特定情報、講義の科目を示す科目情報及び講義の成立状況の通知状況を示す通知フラグ等の各項目についてのデータがレコードとして記録されている。
【００２８】
教室番号とは講義が行われる仮想的な教室を示し、具体的には中央装置１０にて中継する通信を識別するための論理的な通信チャネルであり、例えば講師用端末装置２０及び生徒用端末装置３０間で送受信される情報を構成するパケットにヘッダ情報として含ませることで、異なる複数の通信を同時に中継することが可能となる。
講師特定情報及び生徒特定情報としては、予め割り当てられた教師ＩＤ及び生徒ＩＤ等の符号列並びに氏名等の情報が用いられる。
通知フラグは、後述する処理による生徒側からの講義の予約に対し、講義の成立状況の通知状況を識別するための情報であり、未通知の場合には「０」、講義が不成立であることを通知済みの場合には「１」、そして講義が成立することを通知済みの場合には「２」が示される。
なお通知フラグの初期設定は「０」となっている。
【００２９】
予約テーブル１０ａに記録されている夫々のレコードは、日時及び教室番号により特定される時限の講義に対する予約状況を示しており、講師特定情報が記録され、生徒特定情報が記録されていないレコードが示す講義は、講師が決定しているが生徒の予約が入っていないことを示し、生徒特定情報が記録され、講師特定情報が記録されていないレコードが示す講義は、生徒が予約しているが講師が決定していないことを示し、講師特定情報及び生徒特定情報が共に記録されているレコードが示す講義は、講師及び生徒の双方の予定が入り講義が成立することを示している。
【００３０】
図４は本発明の中央装置１０が備える科目テーブル１０ｂの記録内容を概念的に示す説明図である。
科目テーブル１０ｂには、講師特定情報に対応付けて、担当することが可能な科目を示す科目情報が記録されている。
【００３１】
図５は本発明の中央装置１０が備える連絡先テーブル１０ｃの記録内容を概念的に示す説明図である。
連絡先テーブル１０ｃには、講師特定情報又は生徒特定情報を示す特定情報、講師又は生徒を示す属性情報並びに連絡先情報等の各項目についてのデータがレコードとして記録されており、連絡先情報の項目についてはメールアドレス及び電話番号等の小項目に細分化されている。
【００３２】
次に本発明の予約システムにおける各種処理を説明する。
中央装置１０が提供するサービスを利用する生徒は、生徒用端末装置３０を操作してブラウザを起動し、通信網ＮＷに接続して中央装置１０にアクセスし、生徒特定情報及びパスワードを送信することにより中央装置１０による認証を受け、講義の予約状況を示すウェブページを生徒用端末装置３０から出力させる。
【００３３】
図６は本発明の生徒用端末装置３０から出力される画像を示す説明図である。
予約状況を示すウェブページは、中央装置１０にて予約テーブル１０ａに基づいて作成されており、日付、時間帯及び教室番号に対応付けられた時限を示す図中に、講義の予約状況が記号として示されている。
図中の記号が「○」である時限は、講師及び科目が決定しておらず、講義を予約することが可能であることを示しており、「×」である時限は、講師及び科目が決定し、しかも生徒の予約が入っているため、講義の予約が不可能であることを示している。
さらに「△」である時限は、生徒及び科目の予約が入り、講師の返答待ちであるため、講義の予約が不可能で、「＊」である時限は、講師及び科目も決定していないことを示している。
【００３４】
図７は本発明の予約システムが備える中央装置１０、講師用端末装置２０及び生徒用端末装置３０の講義予約処理を示すフローチャートである。
生徒は予約状況を示すウェブページを確認し、講義を予約する場合、講義を予約する時限及び科目を指定する入力を行う。
なお講師が決定し生徒の予約が入っている時限の講義及び生徒の予約が入り講師の返答待ちである時限の講義を予約することはできないため、指定することが可能な時限は、図中の記号が「○」又は「＊」である時限に限られ、また図中の記号が「○」である時限は講師及び科目が既に決定しているため科目の指定を省略することが可能である。
生徒用端末装置３０では、講義を予約する時限及び科目を指定する入力を受け付け（Ｓ１０１）、指定された時限に対する講義の予約を示し、指定された科目を示す科目情報を含む予約情報を中央装置１０へ送信する（Ｓ１０２）。
【００３５】
中央装置１０では、予約情報を受信し（Ｓ１０３）、受信した予約情報により示される時限に対応付けて、予約情報の送信元の生徒用端末装置３０に対応する生徒特定情報、ここでは認証時に受け付けた生徒特定情報を予約テーブル１０ａに記録する（Ｓ１０４）。
そして中央装置１０では、予約情報により示される時限に対応付けられた講師特定情報の有無を予約テーブル１０に基づいて判定する（Ｓ１０５）。
ステップＳ１０５において、対応付けられた講師特定情報が無いと判定した場合（Ｓ１０５：ＮＯ）、受信した予約情報に含まれる科目情報に対応する講師特定情報を科目テーブル１０ｂから抽出し（Ｓ１０６）、予約テーブル１０ａを参照して、抽出した講師特定情報の中で当該時限に相当する時間帯に予定が入っていない講師特定情報を判別し、予定が入っていない講師特定情報に対応する連絡先情報としてメールアドレスを連絡先テーブル１０ｃから抽出し（Ｓ１０７）、抽出したメールアドレスが示す講師用端末装置２０へ講義の実施を要請する要請情報を送信する（Ｓ１０８）。
このとき送信される要請情報は電子メールとして送信され、要請される講義の時限及び科目情報を含んでいる。
【００３６】
講師用端末装置２０では、要請情報を受信し（Ｓ１０９）、受信した要請情報を出力する（Ｓ１１０）。
【００３７】
ステップＳ１０５において、対応付けられた講師特定情報が有ると判定した場合（Ｓ１０５：ＹＥＳ）、対応付けられている講師特定情報に対応する連絡先情報としてメールアドレスを連絡先テーブル１０ｃから抽出し（Ｓ１１１）、抽出したメールアドレスが示す生徒用端末装置３０へ講義が成立することを示す成立情報を送信する（Ｓ１１２）。
このとき送信される要請情報は電子メールとして送信され、成立する講義の時限及び科目情報を含んでいる。
【００３８】
生徒用端末装置３０では、成立情報を受信し（Ｓ１１３）、受信した成立情報を出力する（Ｓ１１４）。
なおステップＳ１０５において、対応付けられた講師情報が無いと判定するのは、予約状況を示すウェブページにて図中の記号が「＊」である時限が指定された場合であり、講師に対して講義の実施を要請することになるが、図中の記号が「○」である時限が指定され対応付けられた講師情報が有ると判定した場合には自動的に講義が成立する。
【００３９】
また図６では、教室番号単位で予約状況を示しているが、時限単位で予約状況を示すことにより表示を簡略化させ、予約状況を把握しやすくすることも可能である。
図８は本発明の生徒用端末装置３０から出力される画像を示す説明図である。
図８は中央装置１０にて予約テーブル１０ａに基づいて作成されたウェブページであり、日付及び時間帯に対応付けられた時限を示す表中に、講義の予約状況が記号として示されている。
表中の記号が「○」である時限は、講師及び科目が決定し生徒の予約が入っていないことを示しており、生徒は予約を行うことができる。
特に「（１）」である時限は、講師が決定し生徒の予約が入っていない講義が後一つ、即ち予約を行うことができる生徒は後一人であることを示している。
表中の記号が「△」である時限は、講師は決定していないが、教室番号に空きがあるため、講義を予約することは可能であることを示している。
表中の記号が「×」である時限は、講師が決定し生徒の予約が入っていない講義はなく、また教室番号に空きがないため、生徒は講義の予約ができないことを示している。
このように予約状況を示すウェブページは、様々な表示方法を用いることが可能である。
【００４０】
図９は本発明の予約システムが備える中央装置１０、講師用端末装置２０及び生徒用端末装置３０の講義諾否処理を示すフローチャートである。
講師用端末装置２０から出力された要請情報を確認した講師は、中央装置１０にアクセスし、講師特定情報及びパスワードを送信することにより中央装置１０による認証を受け、所定のウェブページを講師用端末装置２０から出力させ、要請に対する諾否を示す入力を行う。
講師用端末装置２０では、諾否を示す入力を受け付け（Ｓ２０１）、受け付けた入力を示す諾否情報を中央装置１０へ送信する（Ｓ２０２）。
【００４１】
中央装置１０では、諾否情報を受信し（Ｓ２０３）、受信した諾否情報が承諾を示すか否かを判定する（Ｓ２０４）。
ステップＳ２０４において、諾否情報が承諾を示すと判定した場合（Ｓ２０４：ＹＥＳ）、諾否情報の送信元の講師用端末装置２０を示す講師特定情報を、予約テーブル１０ａ中の当該諾否情報に関するレコードに記録する予約処理を行う（Ｓ２０５）。
【００４２】
そして当該レコードに記録されている生徒特定情報に対応する連絡先情報としてメールアドレスを連絡先テーブル１０ｃから抽出し（Ｓ２０６）、抽出したメールアドレスが示す生徒用端末装置３０へ、講義が成立することを示す成立情報を送信し（Ｓ２０７）、予約テーブル１０ａ中の通知フラグを「２」に更新する（Ｓ２０８）。
このとき送信される成立情報は、電子メールとして送信され、成立する講義の時限、科目情報及び講師の氏名等の情報を含んでいる。
【００４３】
生徒用端末装置３０では、成立情報を受信し（Ｓ２０９）、受信した成立情報を出力する（Ｓ２１０）。
そして成立する講義については、当該講義の開始時間から講師用端末装置２０及び生徒用端末装置３０間での通信を中央装置１０により中継することで、具体的には、一方の装置から入力された音声情報及び映像情報を、中央装置１０を介して他方の装置へ送信し、他方の装置では音声情報及び映像情報の受信が完了する前に出力を開始するストリーミング技術を双方向の通信に用いることにより、講師用端末装置２０及び生徒用端末装置３０間の双方向通信を実現することで実施される。
【００４４】
ステップＳ２０４において、諾否情報が要請に対する拒否を示していると判定した場合（Ｓ２０４：ＮＯ）、要請情報を送信した全ての講師用端末装置２０から諾否情報を受信し、かつ全ての諾否情報が拒否を示しているか否かを判別する（Ｓ２１１）。
ステップＳ２１１において、全ての講師用端末装置２０から諾否情報を受信し、かつ全ての諾否情報が拒否を示していると判定したとき（Ｓ２１１：ＹＥＳ）、当該諾否情報に関するレコードに記録されている生徒特定情報に対応する連絡先情報としてメールアドレスを連絡先テーブル１０ｃから抽出し（Ｓ２１２）、抽出したメールアドレスが示す生徒用端末装置３０へ、講義が不成立であることを示す不成立情報を送信し（Ｓ２１３）、予約テーブル１０ａ中の通知フラグを「１」に更新する（Ｓ２１４）。
このとき送信される不成立情報は、不成立となった講義の時限及び科目情報等の情報を含んでいる。
【００４５】
生徒用端末装置３０では、不成立情報を受信し（Ｓ２１５）、受信した不成立情報を出力する（Ｓ２１６）。
【００４６】
ステップＳ２１１において、諾否情報を受信していない講師用端末装置２０が存在するか、又は承諾を示す諾否情報を受信していると判定したとき（Ｓ２１１：ＮＯ）、ステップＳ２１２以降に示す処理は行われない。
【００４７】
図１０は本発明の予約システムが備える中央装置１０及び生徒用端末装置３０の講義不成立通知処理を示すフローチャートである。
中央装置１０では、講義諾否処理として説明した図９のステップＳ２１１〜Ｓ２１３にて示す処理以外にも、所定の条件を満足した場合に、以下に説明するように講義不成立通知処理を行う。
中央装置１０では、２０分等の所定間隔毎に時計手段１５から現在時刻を読み取り（Ｓ３０１）、読み取った現在時刻が講義開始１２時間前等の所定期限を超え、生徒特定情報は有るが講師特定情報が無く、しかも通知フラグが未通知を示す「０」であるレコードを予約テーブル１０ａから抽出する（Ｓ３０２）。
即ち１２時間前等の所定期限迄に講義が成立していないレコードを予約テーブル１０ａから抽出する。
【００４８】
そして抽出したレコードに記録されている生徒特定情報に対応する連絡先情報としてメールアドレスを連絡先テーブル１０ｃから抽出し（Ｓ３０３）、抽出したメールアドレスが示す生徒用端末装置３０へ、講義が不成立であることを示す不成立情報を送信し（Ｓ３０４）、予約テーブル１０ａ中の通知フラグを「１」に更新する（Ｓ３０５）。
このとき送信される不成立情報は、不成立となった講義の時限及び科目情報等の情報を含んでいる。
中央装置１０では、所定間隔毎に上述したステップＳ３０１〜Ｓ３０５の処理を実行し、不成立となる講義を監視する。
【００４９】
生徒用端末装置３０では、不成立情報を受信し（Ｓ３０６）、受信した不成立情報を出力する（Ｓ３０７）。
【００５０】
前記実施の形態では、本発明の中央装置１０にて、講義の予約及び講義の中継を行う形態を示したが、本発明はこれに限らず、予約に用いられる本発明の中央装置１０とは異なる装置を講義の中継に用いるようにしてもよい。
【００５１】
また前記実施の形態では、講師及び生徒が１対１で行う講義について示したが、予約テーブル１０ａに１又は複数の定員を設けることで、講師１人に対して１又は複数の生徒が対応する形態に展開することも可能である。
【００５２】
さらに前記実施の形態では、生徒が講義の予約時に科目を指定する形態を示したが、本発明はこれに限らず、予約状況ウェブページを科目毎に準備し、生徒が認証操作を行う時に科目を指定する形態でもよい。
【００５３】
【発明の効果】
以上詳述した如く本発明に係る予約システム、中央装置、コンピュータプログラム及び記録媒体では、講師が操作する講師用端末装置及び生徒が操作する生徒用端末装置間の通信を通信網に接続する中央装置にて中継し、講義を行うシステムにおいて、講義を予約する場合に、生徒用端末装置を操作する生徒側から時限を指定して予約を行い、中央装置にて予約に対して講義の実施を講師側へ要請し、講師用端末装置を操作する講師にて要請に対する承諾を行うことで講義が成立することにより、生徒側における時間に対する自由度を向上させることが可能である等、優れた効果を奏する。
【００５４】
また本発明では、生徒側の予約に対して講師側の都合がつかず、講義が不成立となる場合に、不成立情報として生徒側に通知することにより、生徒側では講義が不成立であることを認識することが可能である等、優れた効果を奏する。
【図面の簡単な説明】
【図１】本発明の予約システムを概念的に示す説明図である。
【図２】本発明の予約システムの構成を示すブロック図である。
【図３】本発明の中央装置が備える予約テーブルの記録内容を概念的に示す説明図である。
【図４】本発明の中央装置が備える科目テーブルの記録内容を概念的に示す説明図である。
【図５】本発明の中央装置が備える連絡先テーブルの記録内容を概念的に示す説明図である。
【図６】本発明の生徒用端末装置から出力される画像を示す説明図である。
【図７】本発明の予約システムが備える中央装置、講師用端末装置及び生徒用端末装置の講義予約処理を示すフローチャートである。
【図８】本発明の生徒用端末装置から出力される画像を示す説明図である。
【図９】本発明の予約システムが備える中央装置、講師用端末装置及び生徒用端末装置の講義諾否処理を示すフローチャートである。
【図１０】本発明の予約システムが備える中央装置及び生徒用端末装置の講義不成立通知処理を示すフローチャートである。
【符号の説明】
１０　中央装置
２０　講師用端末装置
３０　生徒用端末装置
ＮＷ　通信網
ＰＧ　コンピュータプログラム
ＲＥＣ　記録媒体
【図１】
2004038688.tif 000003
【図２】
2004038688.tif 000004
【図３】
2004038688.tif 000005
【図４】
2004038688.tif 000006
【図５】
2004038688.tif 000007
【図６】
2004038688.tif 000008
【図７】
2004038688.tif 000009
【図８】
2004038688.tif 000010
【図９】
2004038688.tif 000011
【図１０】
2004038688.tif 000012